(57)【要約】【課題】印刷物に印刷されたろうそく等の炎に対しても揺らぎを表現し、よりリアル感を出すことのできる装飾装置を提供する。【解決手段】装飾装置１００は、炎の画像１１が印刷された印刷物１と、印刷物１の裏側に設けられて、光を印刷物１に照射することにより揺らぎのある光像を映し出す揺らぐ光源２と、揺らぐ光源２が設けられたフレーム３と、を備える。印刷物１中の炎の画像１１と、揺らぐ光源２とは、互いに重なり合うように配置されている。【選択図】図２
0003159289.tif 000002
【実用新案登録請求の範囲】
【請求項１】
炎の画像が印刷された印刷物と、
前記印刷物の裏側に設けられて、光を前記印刷物に照射することにより揺らぎのある光像を映し出す揺らぐ光源と、
前記揺らぐ光源が設けられたフレームと、を備え、
前記印刷物中の前記炎の画像と、前記揺らぐ光源とは、互いに重なり合うように配置されていることを特徴とする装飾装置。
【請求項２】
前記揺らぐ光源は、光を一端から入射し、円柱状を軸方向に沿って半割りした形状をなした入射部と、
前記入射部の他端に連接されて光を出射し、円錐状を軸方向に沿って半割りした尖頭状をなした出射部と、を有するレンズと、
前記レンズの前記入射部の前記一端から白色光を入射させるための発光部と、を備えることを特徴とする請求項１に記載の装飾装置。
【請求項３】
前記出射部の半割りした切断面は、前記レンズが固定される前記フレームの固定面に対して、前記レンズの前記入射部側から前記出射部側に沿って、前記印刷物側に漸次近づく方向に傾斜した傾斜面となっていることを特徴とする請求項２に記載の装飾装置。
【請求項４】
前記出射部の前記傾斜面と、前記レンズが固定される前記フレームの固定面との間の隙間に、反射板が設けられていることを特徴とする請求項３に記載の装飾装置。
【請求項５】
前記出射部の表面が粗面となっていることを特徴とする請求項２〜４のいずれか一項に記載の装飾装置。
【請求項６】
前記揺らぐ光源と前記印刷物との間に、光拡散シートが介在していることを特徴とする請求項１〜５のいずれか一項に記載の装飾装置。
【請求項７】
前記印刷物中の前記炎の画像は、炎の中心側から外側に向けて明度が低くなるようにグラデーションに形成されていることを特徴とする請求項１〜６のいずれか一項に記載の装飾装置。
【考案の詳細な説明】
【技術分野】
【０００１】
本考案は、炎の画像が印刷された印刷物に対してろうそく等の炎の状態をリアルに表現することのできる装飾装置に関する。
【背景技術】
【０００２】
従来、ろうそくの炎に近いあかりを表現する電飾器として、複数の発光素子を基板の上に取り付けるとともに、基板上の発光素子を、光を外部に拡散又は透過させる第１のカバーで覆い、さらに、第１のカバーを、光を外部に拡散又は透過させる第２のカバーで覆ったものが知られている（例えば、特許文献１参照）。このように構成された発光素子は、電源が印加されると、個々の周期でそれぞれ明暗を変化させながら点灯する。そして、それらのあかりが重なり合って、第１のカバー及び第２のカバーで光が拡散又は透過されて外部へ放射される。それによって、発光素子の光を第２のカバーの外から見るとろうそくの炎に近いあかりが実現される。
【先行技術文献】
【特許文献】
【０００３】
【特許文献１】特開２００４−７１３７６号公報
【考案の概要】
【考案が解決しようとする課題】
【０００４】
上述のように、特許文献１に記載の電飾器は立体物で炎を表現していたが、例えば写真などの印刷物のような平面の薄い物体の場合にも、ろうそくの炎の揺らぎを表現してよりリアル感を出し、装飾効果を高めることが望まれている。
本考案は、上記事情に鑑みてなされたもので、印刷物に印刷されたろうそく等の炎に対しても揺らぎを表現し、よりリアル感を出すことのできる装飾装置を提供することを目的としている。
【課題を解決するための手段】
【０００５】
上記課題を解決するため、請求項１の考案は、炎の画像が印刷された印刷物と、
前記印刷物の裏側に設けられて、光を前記印刷物に照射することにより揺らぎのある光像を映し出す揺らぐ光源と、
前記揺らぐ光源が設けられたフレームと、を備え、
前記印刷物中の前記炎の画像と、前記揺らぐ光源とは、互いに重なり合うように配置されていることを特徴とする。
【０００６】
請求項２の考案は、請求項１に記載の装飾装置において、
前記揺らぐ光源は、光を一端から入射し、円柱状を軸方向に沿って半割りした形状をなした入射部と、
前記入射部の他端に連接されて光を出射し、円錐状を軸方向に沿って半割りした尖頭状をなした出射部と、を有するレンズと、
前記レンズの前記入射部の前記一端から白色光を入射させるための発光部と、を備えることを特徴とする。
【０００７】
請求項３の考案は、請求項２に記載の装飾装置において、
前記出射部の半割りした切断面は、前記レンズが固定される前記フレームの固定面に対して、前記レンズの前記入射部側から前記出射部側に沿って、前記印刷物側に漸次近づく方向に傾斜した傾斜面となっていることを特徴とする。
【０００８】
請求項４の考案は、請求項３に記載の装飾装置において、
前記出射部の前記傾斜面と、前記レンズが固定される前記フレームの固定面との間の隙間に、反射板が設けられていることを特徴とする。
【０００９】
請求項５の考案は、請求項２〜４のいずれか一項に記載の装飾装置において、
前記出射部の表面が粗面となっていることを特徴とする。
【００１０】
請求項６の考案は、請求項１〜５のいずれか一項に記載の装飾装置において、
前記揺らぐ光源と前記印刷物との間に、光拡散シートが介在していることを特徴とする。
【００１１】
請求項７の考案は、請求項１〜６のいずれか一項に記載の装飾装置において、
前記印刷物中の前記炎の画像は、炎の中心側から外側に向けて明度が低くなるようにグラデーションに形成されていることを特徴とする。
【考案の効果】
【００１２】
請求項１の考案によれば、印刷物と、揺らぐ光源と、フレームと、を備え、印刷物中の炎の画像と、揺らぐ光源とは互いに重なり合うように配置されているので、揺らぐ光源から出射した光が炎の画像に照射される。これによって、炎の画像部分に揺らぎのある光像が映し出されて、炎の揺らぐ状態をリアルに表現することができる。その結果、印刷物のような平面の薄い物体でも装飾効果を容易に高めることができる。
【００１３】
請求項２の考案によれば、揺らぐ光源は、入射部及び出射部を有するレンズと、発光部とを備え、入射部は円柱状を軸方向に沿って半割りした形状で、出射部は、円錐状を軸方向に沿って半割りした形状をなしているので、レンズの厚みを薄くすることができ、装飾装置自体を薄型化及び軽量化することができる。
【００１４】
請求項３の考案によれば、出射部の半割りした切断面が、フレームの固定面に対して、入射部側から出射部側に沿って、印刷物側に漸次近づく方向に傾斜した傾斜面となっているので、この傾斜面によって光が拡散、反射し、多くの光を印刷物側へと出射させることができ、光を有効に利用することができる。その結果、出射部の先端に対応する炎の画像部分がより明るい光像として投影される。
【００１５】
請求項４の考案によれば、出射部の傾斜面と、フレームの固定面との間の隙間に、反射板が設けられているので、反射板によって光が反射されて、より多くの光を印刷物側へと出射させることができる。
【００１６】
請求項５の考案によれば、出射部の表面が粗面となっているので、粗面によって、出射部から出射された光が拡散されて、より多くの光を印刷物側へと出射させることができる。
【００１７】
請求項６の考案によれば、揺らぐ光源と印刷物との間に、光拡散シートが介在しているので、光拡散シートによって、出射部から出射された光が拡散されて、より多くの光を印刷物側へと出射させることができる。また、特に光拡散シートをヘアライン加工によって形成した場合、ヘアライン加工を施した方向に沿って、光が広がり、炎の状態をよりリアルに表現することができる。
【００１８】
請求項７の考案によれば、炎の画像は、炎の中心側から外側に向けて明度が低くなるようにグラデーションに形成されているので、炎の中心部分に映し出される光像は明るくなり、炎の外側部分に映し出される光像は暗くなる。このようなグラデーション効果によっても炎の状態をよりリアルに表現することができる。
【図面の簡単な説明】
【００１９】
【図１】装飾装置の外観斜視図である。
【図２】装飾装置の分解斜視図である。
【図３】揺らぐ光源の分解平面図である。
【図４】揺らぐ光源をフレームに取り付けた状態における側面図である。
【図５】レンズの外観斜視図である。
【図６】発光素子点灯回路装置の構成を示す図である。
【図７】第１デューティ制御部が生成する点灯制御波形を示す図である。
【図８】第２デューティ制御部が生成する点灯制御波形を示す図である。
【図９】駆動切り替え波形を示す図である。
【図１０】発光素子の発光の制御波形を示す図である。
【考案を実施するための形態】
【００２０】
以下、本考案に係る装飾装置について、図面を参照しながら説明する。
［装飾装置］
図１、図２に示すように、装飾装置１００は、炎の画像１１が印刷された印刷物１と、印刷物１の裏側に設けられて、光を印刷物１に照射することにより揺らぎのある光像を映し出す揺らぐ光源２と、揺らぐ光源２が設けられたフレーム３と、を備える。
印刷物１中の炎の画像１１と、揺らぐ光源２とは、互いに重なり合うように配置されている。また、印刷物１と揺らぐ光源２との間には、光拡散シート４が設けられている。
【００２１】
＜フレーム＞
フレーム３は、矩形板状の板状部３１と、板状部３１の表面周縁部に設けられた枠状部３２と、を備えている。フレーム３は、例えばプラスチック等の樹脂により形成されている。そして、板状部３１において、印刷物１中の炎の画像１１に対応する位置に揺らぐ光源２が取り付けられている。
【００２２】
＜揺らぐ光源＞
図２に示すように、揺らぐ光源２は、発光部２１と、発光部２１を収容し発光部２１からの光を拡散させるレンズ２５と、揺らぐ光源２の電源となる電池部２２と、発光素子点灯回路装置５０（図６参照）と、を備えている。
電池部２２に設けられた操作子２３を動作させることによって、消灯モード（ＯＦＦ）及びろうそくモード（ＯＮ）を選択的に切り替えることができるようになっている。ここで、揺らぐ光源２は、ろうそくモードの場合に、ろうそくの炎のように瞬きをして揺らぎのある光を視認することができるようになっている。
【００２３】
図３に示すように、発光部２１は、例えば１個の発光素子（ＬＥＤ）Ａからなる。発光素子（ＬＥＤ）Ａは配線基板２４に接続されている（図２参照）。発光素子Ａは、特に限定はされないが、チップタイプのものであり、その発光素子Ａの発光色は白色となっている。
【００２４】
レンズ２５は、特に限定されるものではないが、アクリル樹脂又はガラスによって形成されている。レンズ２５はろうそくの炎の形状に似せた光像を形成するためのもので、入射部２５１及び出射部２５２を備えている。
図４及び図５に示すように、レンズ２５の入射部２５１は、円柱状を軸方向に沿って半割りした蒲鉾形状をなしており、透明色となっている。入射部２５１の出射部２５２側と反対側の端部には、発光素子Ａが収容される凹部２５３が形成されている。
レンズ２５の出射部２５２は、円錐状を軸方向に沿って半割りし、さらに、その切断面２５２aが、レンズ２５が固定されるフレーム３の固定面３１a（入射部２５１の切断した平坦な切断面２５１a）に対して、入射部２５１側から出射部２５２側に沿って印刷物１側に漸次近づくように傾斜した傾斜面となっている（図４参照）。この傾斜面（切断面２５２a）の傾斜角度は、特に限定されるものではなく、入射部２５１の平坦な切断面２５１aに対して若干でも傾斜していれば良い。
また、傾斜面（切断面２５２a）と、フレーム３の固定面３１aとの間に形成される隙間には、ミラーや白色の反射板２６等を介在させることが好ましい。ミラーや白色の反射板２６等を介在させることによって、光を反射させてより拡散効果を高めることができる。また、レンズ２５のスペーサとしての作用も得ることができ、フレーム３に対してレンズ２５が、がたつくことなく確実に固定することができる。
また、レンズ２５の出射部２５２は、半透明の橙色に着色されている。出射部２５２の外周面は粗面２５２bとなっており、この粗面２５２bによって出射部２５２から出射される光が拡散されるようになっている。出射部２５２の外周面を粗面２５２bとする手法としては、例えば、サンドブラスト法によって、例えば、凹凸や階段形状を形成する方法や、ヤスリで削ることによって出射部２５２の外周面に筋状の凹凸を形成する方法や、光拡散フィルムを出射部２５２の外周面に貼る方法などが挙げられる。
なお、出射部２５２は、尖頭状に形成されていれば良く、より詳しくは、出射部２５２は先端が尖っていても良いが、多少丸まっているか、平らな部分があっても良い。例えば、平らな部分があれば、そこから光が上方に向けて抜けるので光像の高さが大きくなる。
【００２５】
＜光拡散シート＞
光拡散シート４としては、光を透過するものであれば良く、例えば半透明のプラスチックシートを使用することができる。本実施形態における光拡散シート４は、フレーム３と略同じ大きさの矩形状をなしている。
光拡散シート４の裏面（揺らぐ光源２に対向する面）は粗面となっている。光拡散シート４を粗面とする手法としては、例えば、サンドブラスト法によって凹凸を形成する方法や、ヤスリで削ることによって筋状の凹凸を形成する方法などが挙げられる。また、本実施形態の光拡散シート４は、横方向に沿って多数の筋４１が形成されているが、縦方向に沿って多数の筋を形成しても良い。
【００２６】
＜印刷物＞
印刷物１としては、ろうそく等の炎の画像１１が印刷されたものであれば特に限定されないが、紙や写真、プラスチックフィルム等を使用することができる。本実施形態における印刷物１は、フレーム３と略同じ大きさの矩形状をなしている。炎の画像１１は、炎の中心側から外側に向けて徐々に明度が暗くなるようにグラデーションとすることが好ましい。具体的には、炎の中心部分１１aを白色に近い色、外側部分１１bを黒色に近い色となるようにグラデーションに形成する。さらに、炎の先端部分１１cを橙色にすると好ましい。
また、印刷物１中の画像として、符号１１dに示すように、壁や机、窓ガラス等に炎の外部への映り込みを表したものを印刷しておくと、よりリアル感を出すことができるため好ましい。
【００２７】
なお、光拡散シート４及び印刷物１は、本実施形態のように平坦な面となるように形成しても良いし、曲面となるように湾曲させても良い。
【００２８】
＜発光素子点灯回路装置＞
図６に基づいて発光素子点灯回路装置５０について説明する。
発光素子点灯回路装置５０は、基準信号発生部５１と、第１デューティ制御部５２と、第２デューティ制御部５３と、切り替え信号発生部５４と、駆動切り替え部５５と、点灯ドライバ５６とを含んで構成されている。この発光素子点灯回路装置５０の各部の構成を、ろうそくモードにある場合の働きと共に説明する。
【００２９】
基準信号発生部５１は、特に限定されないが、８．２５Ｈｚの方形波の基準信号を生成するものである。生成した基準信号に基づいて、第１デューティ制御部（点灯制御信号生成部）５２及び第２デューティ制御部（点灯制御信号生成部）５３は、それぞれ点灯制御信号を生成し、駆動切り替え部５５に出力する。
第１デューティ制御部５２及び第２デューティ制御部５３は、基準信号発生部４１からの基準信号のデューティを特に限定はされないが図７に示す９８．７％〜図８に示す６％の間で周期的に変化させて、正弦波又は三角波の如く明暗を繰り返す。ただし、第１デューティ制御部５２から出力される点灯制御信号と第２デューティ制御部５３から出力される点灯制御信号とでは、デューティの変化の周期が異なっている。特に限定はされないが、第１デューティ制御部５２から出力される点灯制御信号ではデューティの変化の周期が０．１４Ｈｚ、第２デューティ制御部５３から出力される点灯制御信号の変化の周期は０．２２Ｈｚとなっている。
【００３０】
切り替え信号発生部５４は、発光素子Ａの駆動切り替えを行うためのタイミング信号を生成するためのものである。このタイミング信号としては、特に限定はされないが、図９に示す２．８５Ｈｚの方形波の信号が生成される。
駆動切り替え部（点灯制御信号生成部）５５は、第１デューティ制御部５２及び第２デューティ制御部５３のそれぞれの点灯制御信号に基づき、発光素子Ａの点灯制御信号を生成するためのものである。具体的には、駆動切り替え部５５は、切り替え信号発生部５４からの駆動切り替えタイミング信号のハイ、ローの切り替えタイミングで、第１デューティ制御部５２から出力される点灯制御信号と第２デューティ制御部５３から出力される点灯制御信号とを交互に切り替えてなる点灯制御信号を生成する。
点灯ドライバ５６は、駆動切り替え部５６で生成した点灯制御信号を反転させて発光素子Ａに供与する。
以上によって、発光素子Ａの発光は図１０（Ａ）の第１デューティ制御部５２による発光制御波形と、図１０（Ｂ）の第２デューティ制御部５３による発光制御波形から生成された図１０（Ｃ）の発光制御波形のように制御される。なお、図１０（Ｃ）中に示した「Ａ」、「Ｂ」の波形は、図１０（Ａ）、図１０（Ｂ）の発光制御波形の一部を示したものである。
【００３１】
以上のように、ろうそくモードでの光像は、図１０（Ａ）の発光制御波形の発光状態と、図１０（Ｂ）の発光制御波形の発光状態を交互に取る発光素子Ａの光像の揺らぎによって、上下方向に大きく伸縮するとともに、明るさも大きく変化する。その結果、ろうそくの炎が小さくなり一瞬消えかかった後、また、勢いよく燃え盛る様子が表現できることになる。
このような装飾装置１００は、例えば壁面や、棚の上などに飾って使用することができる。その他、ＣＤジャケットやポスター等としても適用することができる。
【００３２】
本実施形態の装飾装置１００によれば、印刷物１と、揺らぐ光源２と、フレーム３と、を備え、印刷物１中の炎の画像１１と、揺らぐ光源２とは互いに重なり合うように配置されているので、揺らぐ光源２から出射した光が炎の画像１１に照射される。これによって、炎の画像１１部分に揺らぎのある光像が映し出されて、炎の揺らぐ状態をリアルに表現することができる。その結果、印刷物１のような平面の薄い物体でも装飾効果を容易に高めることができる。
【００３３】
また、揺らぐ光源２は、入射部２５１及び出射部２５２を有するレンズ２５と、発光素子Ａとを備え、入射部２５１は円柱状を軸方向に沿って半割りした形状で、出射部２５２は、円錐状を軸方向に沿って半割りした形状をなしているので、レンズ２５の厚みを薄くすることができ、装飾装置１００自体を薄型化及び軽量化することができる。
【００３４】
また、レンズ２５の出射部２５２の半割りした切断面２５２aが、フレーム３の固定面３１aに対して、入射部２５１側から出射部２５２側に沿って、印刷物１側に漸次近づく方向に傾斜した傾斜面となっているので、この傾斜面によって光が拡散、反射し、多くの光を印刷物１側へと出射させることができ、光を有効に利用することができる。その結果、出射部２５２の先端に対応する炎の画像１１部分がより明るい光像として投影される。
【００３５】
また、出射部２５２の傾斜面（切断面２５２a）と、フレーム３の固定面３１aとの間の隙間に、ミラーや白色の反射板２６が設けられているので、光が反射されて、より多くの光を印刷物１側へと出射させることができる。
【００３６】
また、出射部２５２の外周面が粗面２５２bとなっているので、粗面２５２bによって、出射部２５２から出射された光が拡散されて、より多くの光を印刷物１側へと出射させることができる。
【００３７】
また、揺らぐ光源２と印刷物１との間に、光拡散シート４が介在しているので、光拡散シート４によって、出射部２５２から出射された光が拡散されて、より多くの光を印刷物１側へと出射させることができる。特に、本実施形態では、光拡散シート４は、横方向に沿って多数の筋４１が形成されているので、横方向に沿って、光が広がり、炎の状態をよりリアルに表現することができる。
【００３８】
また、炎の画像１１は、炎の中心側から外側に向けて明度が低くなるようにグラデーションに形成されているので、炎の画像１１に投影される光像は、炎の中心部分１１aから外側部分１１bにかけて徐々に暗くなる。特に、本実施形態では、炎の中心部分１１aが白色で、その外側部分１１bが黒色とされ、また、炎の先端部分１１cが橙色となっており、しかも、レンズ２５の入射部２５１が透明色、出射部２５２が橙色であるので、このようなレンズ２５から出射された光によって投影される光像は、炎の画像１１の先端部分１１cが橙色、中心部分１１aが白色、外側部分１１bが黒色に近い色彩となり、この点においても炎の状態をよりリアルに表現することができる。
【００３９】
なお、本考案は上記実施形態に限定されるものではなく、その要旨を逸脱しない範囲で適宜変更可能である。
例えば、レンズ２５の入射部２５１は、円柱状を縦方向に半割りした形状、出射部２５２は、円錐を縦方向に半割りした形状であるとしたが、これに限らず、入射部２５１を円柱状、出射部２５２を円錐状としても良い。
【符号の説明】
【００４０】
１  印刷物
１１  炎の画像
２  揺らぐ光源
３  フレーム
４  光拡散シート
１１a  炎の中心部分
１１b  炎の外側部分
２１  発光部
２５  レンズ
２６  反射板
３１a  固定面
２５１  入射部
２５２  出射部
２５２a  切断面（傾斜面）
２５２b  粗面
１００  装飾装置
Ａ  発光素子
【図３】
0003159289.tif 000003
【図４】
0003159289.tif 000004
【図５】
0003159289.tif 000005
【図６】
0003159289.tif 000006
【図７】
0003159289.tif 000007
【図８】
0003159289.tif 000008
【図９】
0003159289.tif 000009
【図１０】
0003159289.tif 000010
【図１】
0003159289.tif 000011
【図２】
0003159289.tif 000012